(57)【特許請求の範囲】
【請求項１】
上面が開口されるとともに一方側壁部分を欠切してなる開口部を有する浴槽本体と、
前記開口部の周縁面に対面する平坦面を有する入浴用の搬送車と、
前記平坦面を含む前記搬送車の一部にて前記開口部を水密に閉塞可能とするための前記平坦面と前記周縁面とを圧接固定するロック手段と、を備えた入浴装置において、
前記平坦面と前記周縁面とがシール材を介して僅かに当接する位置か、前記平坦面または前記周縁面と前記シール材との間に僅かな隙間が残る位置まで前記搬送車を前記開口部の方向から前記浴槽本体内方へ進入させた際に、前記浴槽本体または前記搬送車に設けた係止具を前記搬送車または前記浴槽本体に設けた被係止部に自動的に係止して、前記搬送車を前記浴槽本体に一時的に係止する一時係止手段を備え、前記シール材の弾性力に抗して前記搬送車を力を入れて押し込む操作をすることなく、前記搬送車と前記浴槽本体とを係止できることを特徴とする入浴装置。
【請求項２】
請求項１記載の入浴装置において、
前記一時係止手段による係止作用は、前記ロック手段が作用していないときに入浴介護者が所要の外力を加えて前記開口部から離反する方向へ前記搬送車を引き出す操作のみによって解除されることを特徴とする入浴装置。
【請求項３】
請求項１または２記載の入浴装置において、
前記一時係止手段が作用し、前記浴槽本体に対して前記搬送車が一時係止されている状態を正常状態であると認識し、この状態時にのみ前記ロック手段が作動することを特徴とする入浴装置。
【請求項４】
請求項１乃至３のいずれか一項に記載の入浴装置において、
前記ロック手段が当接作用する前記搬送車の当接面近傍に、周囲からの異物の接近を阻止する接近阻止部材を備えたことを特徴とする入浴装置。
【発明の詳細な説明】
【技術分野】
【０００１】
本発明は、身体障害者や高齢者等の自力では入浴できない入浴者を搬送車に着座させた状態で浴槽内へ移送して入浴に供する入浴装置に関するものである。
【背景技術】
【０００２】
従来から、浴槽側に備えたロック部材で、浴槽開口部方向から浴槽内の所定位置に進入させた入浴専用車椅子の上体支持部に形成される平坦面を浴槽開口部の周縁面に圧接固定することにより、浴槽開口部を上体支持部で水密に閉塞した後、移送ポンプを駆動させて浴槽本体に併設される貯湯タンクに貯められた湯水を浴槽側に圧送供給し、車椅子に着座したまま入浴者を入浴に供するタイプの入浴装置が知られている（例えば、特許文献１、２）。
【０００３】
下記特許文献１に開示される車イス入浴装置にあっては、車イスＢが浴槽本体Ａと固定される際に正規の位置に車イスＢが到達しているか否かを検出するため、および車イスＢの思わぬ後退動を阻止する安全プレート７１を備えている。
【０００４】
また、出願人が以前に創案した特許文献２に開示される入浴装置においては、浴槽１内方に車椅子３を進入させていくと、車椅子３の左右側方にそれぞれ突出するロックピン７が浴槽１の孔８に自動的に嵌入し、浴槽１と車椅子３とが固定される構成（例えば、００３５段落、００５２段落、図８、図１０参照）を有している。
【特許文献１】特開２００５−３４２３７２号公報
【特許文献２】特開２００５−２９６０３２号公報
【発明の開示】
【発明が解決しようとする課題】
【０００５】
上記特許文献１の車イス入浴装置に備えられる安全プレート７１は、浴槽本体Ａの底壁下方に設けられるアクチュエータ４９とリンク５６・６６等の各部材を介して連結されていて、このアクチュエータ４９を作動させる為の操作を行わなければ、車イスＢを浴槽本体Ａに一時固定できない構成となっている（例えば、００２５段落〜００２６段落、図１０参照）。故に、入浴に至るまでの入浴介護者の操作手数が増し、操作性に優れないものであった。
【０００６】
一方、上記特許文献２の入浴装置は、浴槽１と車椅子３との固定手段が左右上側と下側中央の三箇所に配設される構造上、車椅子３を浴槽１内方へ進入させロックピン７を孔８に嵌め込む為には、浴槽の開口部２の周縁面に沿って貼着されたシール材２３の弾性力に抗して車椅子３を浴槽１の内方向へある程度強く押し込む力が必要であり、力が弱い入浴介護者が操作した場合にはこの押し込み力が不足して孔８へのロックピン７の嵌め込みが上手く行えないという問題点を有しており、改良が望まれていた。
【０００７】
本発明はかかる諸問題点に鑑みてなされたもので、その目的とするところは、浴槽本体の開口部を搬送車で水密に閉塞する入浴作業を行う際の入浴介助者の操作手数を減らすとともに、より操作性を向上させた入浴装置を提供することにある。
【課題を解決するための手段】
【０００８】
上記目的を実現する為、請求項１記載の発明は、上面が開口されるとともに一方側壁部分を欠切してなる開口部を有する浴槽本体と、
前記開口部の周縁面に対面する平坦面を有する入浴用の搬送車と、
前記平坦面を含む前記搬送車の一部にて前記開口部を水密に閉塞可能とするための前記平坦面と前記周縁面とを圧接固定するロック手段と、を備えた入浴装置において、
前記平坦面と前記周縁面とがシール材を介して僅かに当接する位置か、前記平坦面または前記周縁面と前記シール材との間に僅かな隙間が残る位置まで前記搬送車を前記開口部の方向から前記浴槽本体内方へ進入させた際に、前記浴槽本体または前記搬送車に設けた係止具を前記搬送車または前記浴槽本体に設けた被係止部に自動的に係止して、前記搬送車を前記浴槽本体に一時的に係止する一時係止手段を備え、前記シール材の弾性力に抗して前記搬送車を力を入れて押し込む操作をすることなく、前記搬送車と前記浴槽本体とを係止できることを特徴とする。
【０００９】
請求項２記載の発明は、請求項１記載の入浴装置において、前記一時係止手段による係止作用は、前記ロック手段が作用していないときに入浴介護者が所要の外力を加えて前記開口部から離反する方向へ前記搬送車を引き出す操作のみによって解除されることを特徴とする。
【００１０】
請求項３記載の発明は、請求項１または２記載の入浴装置において、前記一時係止手段が作用し、前記浴槽本体に対して前記搬送車が一時係止されている状態を正常状態であると認識し、この状態時にのみ前記ロック手段が作動することを特徴とする。
【００１１】
請求項４記載の発明は、請求項１乃至３のいずれか一項に記載の入浴装置において、前記ロック手段が当接作用する前記搬送車の当接面近傍に、周囲からの異物の接近を阻止する接近阻止部材を備えたことを特徴とする。
【発明の効果】
【００１２】
請求項１記載の発明によれば、搬送車を前記平坦面と前記周縁面とがシール材を介して僅かに当接する位置か、前記平坦面または前記周縁面と前記シール材との間に僅かな隙間が残る位置まで開口部から進入させると自動的に一時係止手段が作用し、搬送車を浴槽本体に一時的に係止できるので、アクチュエータ等の動力源は不要であり、更に、搬送車の平坦面を開口部の周縁面に強く押し当て浴槽本体と搬送車とを固定する操作も不要であり、入浴介護者の操作負担を軽減できることとなる。
【００１３】
請求項２記載の発明によれば、一時係止手段の作用を解除するのに搬送車を引き出す操作以外の特別な操作を必要としないので、入浴介護者の操作手数がかからない。
【００１４】
請求項３記載の発明によれば、搬送車が浴槽本体に対して正常状態の位置にないときに誤ってロック手段を作動させ開口部が搬送車で水密に閉塞できないという好ましくない事態に至るのを回避できる。また、搬送車の不適切な部位にロック力を加重した結果、搬送車を破損及び変形させてしまうという不具合も生じない。
【００１５】
請求項４記載の発明によれば、接近阻止部材を設けたことにより、例えば、搬送車を後方より操作する入浴介護者が、誤ってロック手段が当接作用する当接面近傍に手足を置いたままの状態でロック手段を作動させた結果、ロック手段と当接面との間に手足を挟み込んでしまうといった危険性を回避することができ、安心して入浴介護作業が行える。
【発明を実施するための最良の形態】
【００１６】
以下、図１乃至７を参照しつつ本発明に係る一実施形態について説明する。図１は浴槽本体２を開口部４側から見た外観斜視図、図２は浴槽本体２の正面図、図３は一時係止手段２８の作用状態を示す入浴装置１の側面断面図、図４は図２におけるＡ−Ａ矢視線断面図、図５は図２におけるＢ−Ｂ矢視線断面図、図６はロック手段３３の構成を説明する部分拡大断面図、図７は一時係止手段２８の構成を説明する部分拡大断面図である。
【００１７】
本発明に係る入浴装置１は、浴室床面に接地脚６を介して載置される浴槽本体２と、浴槽本体２とセットで用いられ身体障害者や高齢者等の入浴者を搬送及び入浴させる入浴用の搬送車３とから構成されている（図３参照）。まず、浴槽本体２の構成について説明する。浴槽本体２は平面視略長方形状であり、浴槽部１１がベースフレーム５上に溶着して設けられる浴槽支持フレーム１２によって所定高さ位置に支持されている。
【００１８】
ベースフレーム５は、伸縮調整可能な三脚の接地脚６が下面に間隔をあけて固着され前後方向に平行して延在する左右一組のフレーム７間を、前後中央よりやや後方寄り位置において連結する第一連結フレーム８と第一連結フレーム８より後方の位置において連結する第二連結フレーム９とで連結して平面視略梯子状に構成されている（図３参照）。
【００１９】
浴槽支持フレーム１２は、左右各フレーム７上面の前端寄り位置に前後方向に間隔をあけて立設される二つの垂直フレーム１０（図５参照）と、第一連結フレーム８上面の左右端位置に立設される垂直フレーム４８（図４参照）と、前後左右四本の垂直フレーム１０にて下面支持される平面視口形状の支持フレーム１３（図４参照）と、左右二本の垂直フレーム４８にて下面支持される支持フレーム１４（図４参照）とで構成されている。
【００２０】
浴槽部１１は上面が開口されるとともに、左右側方面の上方が下方に対して前方に位置するように上方から下方にかけて傾斜状に欠切されて開口部４が形成されている（図１参照）。そして、開口部４と反対側となる浴槽部１１後方側には浴槽部１１へ供給する湯水が貯められる貯湯タンク１５がベースフレーム５上に載置板１６を介して載設されている（図３参照）。
【００２１】
浴槽部１１と貯湯タンク１５間は、図示は省略するが、給湯配管や給湯配管の中途位置に介装された電磁弁及び移送ポンプ等の諸部材より構成される湯水移送経路で連通接続されている。貯湯タンク１５内に不図示の給湯手段から給湯された湯水は、前記移送ポンプの駆動によって浴槽部１１側へ圧送供給されるように構成されている。
【００２２】
図１、４に示す浴槽部１１に形成される開口部４の周縁面４ａは後述する搬送車３の上体支持部１９に形成される平坦面１９ｂと突合される突合面に形成されている。
【００２３】
次に、搬送車３の構成について説明する。図３に示すように搬送車３は、床面を走行可能にキャスターが配設された車台枠１７ａを有する車台１７と、車台１７上に具設される座椅子部１８とを主たる構成要素として構成されている。
【００２４】
詳細な説明は省略するが、座椅子部１８は車台１７に対して前後方向に起立倒伏可能に構成されていて、図３に示す座椅子部１８が後方へ倒伏した倒伏姿勢状態と、この倒伏姿勢状態から所定角度だけ座椅子部１８が起立した起立姿勢状態（図示省略）とのいずれかの姿勢状態に維持することが可能とされている。以下、座椅子部１８の起立姿勢及び倒伏姿勢の各状態のことをそれぞれ移乗搬送姿勢及び入浴姿勢と称呼することとする。
【００２５】
図３に示される如く、車台１７上に具設される座椅子部１８は、上体支持部１９と、上体支持部１９の上体支持面１９ａの下面近傍に上体支持部１９に対して後方部が固着されるとともに上体支持面１９ａに対して略直交状に前方へ延出する座面部２０と、座面部２０の前方部に連結され入浴者の下腿を受ける面を有する下腿受け部２１と、下腿受け部２１から前方へ突出するパイプ部材に取着される足載せ部２２とを有している。
【００２６】
上体支持部１９には上体支持面１９ａの左右側から下側にかけての所定領域に上体支持面１９ａより低位となる段差を設けて連続する平坦面１９ｂが形成されている。この平坦面１９ｂは、開口部４の方向から座椅子部１８が入浴姿勢とされた搬送車３を浴槽部１１の内方の位置にまで進入させた際に、開口部４の周縁面４ａに対峙する位置となるように形成されている。図２中、２３は周縁面４ａに沿って略Ｕ字状に貼着され、周縁面４ａと搬送車３に形成される平坦面１９ｂ（図３参照）との間を水密にシールする弾性ゴムよりなるシールパッキンである。
【００２７】
図５に示すように、二つの垂直フレーム１０の間であってベースフレーム５を構成する左右の各フレーム７には取付片２４が浴槽部１１の内側に向かって突出するように直交状に固着されており、この取付片２４先端部にガイドレール２５の一端部２５ａが取り付けられている。左右のガイドレール２５は、互いに平行して開口部４方向に延出すし浴槽部１１最前面よりも前方に突き出るとともに、他端部２５ｂが外側方向にハの字状に屈曲形成されている。各ガイドレール２５には複数のガイドローラが転動自在に間隔をあけて配設されている。ガイドレール２５は搬送車３の車台枠１７ａの左右側部分をガイドし搬送車３を浴槽部１１の内方の位置まで誘導案内するものである。
【００２８】
図３に示すように、各ガイドレール２５の一端部２５ａ寄り位置に配設される係止具２６（図５参照）と、この各係止具２６が係止される搬送車３の車台枠１７ａに設けられる被係止部２７とで、浴槽本体２内方の位置まで搬送車３の一部分を進入させたときに、搬送車３を浴槽本体２に一時的に係止する一時係止手段２８が構成される（図７参照）。
【００２９】
次に、係止具２６の構成について説明する。図５に示す左右各ガイドレール２５上面に配設される係止具２６は互いに同一の構成であるので、以下、開口部４方向を正面としその側から見て右方向（同図中、上方向）の構成を例にとって説明する。係止具２６は、ガイドレール２５の一端部２５ａ寄りの上面に対して一方端部分が可動軸３０にて軸着され、可動軸３０を支点として上面方向に水平に可動（回動）自在とされ、可動軸３０の軸着位置と反対側の他方端部分が山形状の凸部２９ａに形成される平面視略鉤状の可動板２９である。
【００３０】
図７に示すように、一端が可動軸３０に巻回止着されるともに他端が可動板２９に止着される捻りバネ３１によって、可動板２９の凸部２９ａはガイドレール２５上面からガイドレール２５内側面方向へ張り出すように付勢されている。また、可動板２９の後方向近傍におけるガイドレール２５上面にはローラーレバー型のリミットスイッチ３２が固着されている。このリミットスイッチがONとなることで後述するロック手段３３（図４、６参照）の作動が可能となる。
【００３１】
被係止部２７は具体的に説明すると、搬送車３の左右の車台枠１７ａの前先端部分に上方へ僅かに突起するよう形成される円柱状突起部１７ｂである（図３参照）。
【００３２】
次に、浴槽部１１の内方位置に進入させた搬送車３を開口部４の周縁面４ａ側に引き込み、周縁面４ａと搬送車３の平坦面１９ｂとを圧接固定し、開口部４を上体支持部１９で水密に閉塞するロック手段３３の構成を説明する。図４に示すように、ロック手段３３は浴槽本体２の左右前方寄り位置にそれぞれ配設され、各ロック手段３３の構成は互いに同一であるので、以下、図４中、開口部４方向を正面としその側から見て右側の構成（図４中、上側の構成）を例にとって説明する。
【００３３】
平面視口形状の支持フレーム１３の前後方向に配列対向する各面に側面視コ字状の垂直フレーム３４が開口側が内向きとなるように同向きに立設され、この垂直フレーム３４側面に前後方向に延在する取付フレーム３５が固着され、この取付フレーム３５に対して平面視略直角三角形状の支持板３６が固着されている。そして、アクチュエータ３７のシリンダ３７ａ底部側が支持板３６に軸支されるとともに、ロッド３７ｂ先端は取付フレーム３５に設けられ開口部４方向に向かって屈曲延出する突板３８先端部において中途位置が回動軸３９にて回動自在に軸着された略Ｓ字状のフック部材４０の一方端部に軸着されており、ロッド３７ｂの伸長・収縮動作に連動してフック部材４０が水平面方向に回動する。
【００３４】
図４に示すようにフック部材４０の他方端部には先端ローラ４９が回動自在に軸着されている。図１、２に示すように周縁面４ａから浴槽部１１の前方向に向かって突出形成される突縁４１の内側面４１ａにはフック部材４０の通過孔４２が形成されている。ロック手段３３は、上述したアクチュエータ３７とフック部材４０とで構成されている。
【００３５】
搬送車３の上体支持部１９後面の左右端位置であって、前述したフック部材４０が当接押圧される対応位置には金属板４３がブロック材等を介在して着設されている（図３、６参照）。また、金属板４３の上下方向及び後方向を包囲するように防護カバー４４（接近阻止部材４５）が設けられている。この防護カバー４４は、フック部材４０を回動させて金属板４３を押圧するときに、フック部材４０と金属板４３間への異物の接近をガードするものである。
【００３６】
搬送車３を浴槽部１１の内方の位置に進入させた後、ロッド３７ｂを伸長作動させると、フック部材４０が図６の一点鎖線で示す如く通過孔４２を通過し、先端ローラ４９が上体支持部１９後面に設けられる金属板４３に当接押圧され上体支持部１９が周縁面４ａ方向に引き込まれ、平坦面１９ｂが周縁面４ａに対して圧接固定される（図６参照）。これによって、開口部４が上体支持部１９で水密に閉塞される。上体支持部１９は浴槽本体２の開口部４を開閉するとともに水密に閉塞可能な浴槽扉と同等の役割を果たすものである。
【００３７】
次に、本発明に係る入浴装置１の作用について説明する。移乗搬送姿勢とされた搬送車３の座椅子部１８に入浴者を着座させ、上体支持部１９後面に水平状に設けられる操作バー４６を両手で握持し搬送車３を開口部４方向へ向けて走行移動させる。浴槽本体２の付近まで搬送車３を移動させた後、図３に示す入浴形態となるように座椅子部１８を起立動作させる。搬送車３の車台枠１７ａの左右側部を各ガイドレール２５に摺接させながら浴槽部１１の内方に進入させていく。
【００３８】
座椅子部１８に着座した入浴者が足側から浴槽部１１内に入るとともに車台１７は浴槽部１１の底壁面１１ａの下方へ進入する。車台１７が底壁面１１ａの下方のある位置まで進むと、車台枠１７ａ先端に形成される円柱状突起部１７ｂが可動板２９の凸部２９ａの一方斜面２９ａａに当接し、可動板２９を捻りバネ３１の弾性力に抗して凸部２９ａがガイドレール２５上面に重なる方向へ可動させる（図７参照）。
【００３９】
そのまま車台１７を進入させると円柱状突起部１７ｂが凸部２９ａを通り越え、捻りバネ３１の弾性力によって可動板２９が初期位置へ復帰回動すると同時に円柱状突起部１７ｂに可動板２９が係止される。これにより搬送車３が浴槽本体２に対して一時的に係止される（一時係止手段２８が作用する）ことになる（図７参照）。
【００４０】
捻りバネ３１の弾性力は、被係止部２７への係止具２６の係止作用が不用意に解除されることのないように係止作用の保持力を多少強めに設定する一方で、搬送車３を押し込む際には入浴介護者が力強く押し込まなくても普通の力で搬送車３を押すことにより可動板２９が前記弾性力に抗して可動可能となる様に設定しており、しかもこのとき搬送車３の平坦面１９ｂはシールパッキン２３表面に僅かに当接する状態となっており、シールパッキン２３の弾性力に抗して力を入れて搬送車３を押し込む操作は不要の為、入浴介護者の作業負担になることはない。尚、一時係止手段２８が作用したときに、平坦面１９ｂとシールパッキン２３表面との間に僅かな隙間（例えば、５ｍｍ乃至１０ｍｍ程度）を残し、両面が離間して対面する状態となるように構成してもよい。
【００４１】
また、一時係止手段２８が作用すると同時に、車台枠１７ａ前端部分によりリミットスイッチ３２のローラーレバーが押圧されリミットスイッチ３２がＯＮとなる。このＯＮ信号は不図示の入浴装置１の制御部に伝送され、制御部はリミットスイッチ３２がＯＮとなった状態を浴槽本体２に対して搬送車３が正常状態の位置に至った状態であると認識し、ロック手段３３のロック作動を許容する。
【００４２】
従って、搬送車３が浴槽本体２に対して正常状態の位置にないときに誤ってロック手段３３を作動させ開口部４が上体支持部１９で水密に閉塞できないという好ましくない事態に至るのを回避できる。また、ロック手段３３が当接押圧される搬送車３後面に設けられる金属板４３以外の不適切な部位にロック力を加重した結果、搬送車３を破損及び変形させてしまうという不具合も生じない。
【００４３】
続いて、浴槽本体２の左右位置に配設されるロック手段３３をロック作用させて搬送車３の平坦面１９ｂを開口部４の周縁面４ａに対して圧接固定する。この際、ロック手段３３が当接押圧される搬送車３の金属板４３の周囲には防護カバー４４が設けられている為、入浴介護者が誤って金属板４３付近に手足を置いたままの状態でロック手段３３を作動させた結果、ロック手段３３と金属板４３との間に手足を挟み込んでしまうといった危険性を回避することができ、より安心して入浴介護作業が行える。  
【００４４】
貯湯タンク１５に予め給湯しておいた湯水を、湯移送経路を経由して浴槽部１１内へ供給し入浴者を入浴に供する。退浴する場合は、浴槽部１１内の湯水を排水した後、ロック手段３３によるロック作用を解除する。尚、湯水を排水する前に誤ってロック手段３３のロック作用を解除する事態を防止する為、浴槽部１１内の湯水が所定量以下に達しないとロック作用の解除を不能とするようにロック手段３３の作動を制御してもよい。
【００４５】
搬送車３を開口部４から離反する方向へ引き出すことにより、一時係止手段２８による係止作用が解除され、浴槽部１１内からの搬送車３の退出が可能となる。この一時係止手段２８の係止作用は、入浴介護者が搬送車３に所要（普通）の外力を加えることにより解除されるので、搬送車３を引き出す操作以外の特別な操作を必要とせず、入浴介護者の操作手数は一切かからない。
【００４６】
次に、本発明に係る他の実施形態について図８を参照して説明する。本実施形態は、前述した実施形態における一時係止手段２８の構成を、搬送車３の車台枠１７ａ側に設けた係止具２６と、浴槽本体２のガイドレール２５側に設けた被係止部２７とからなる構成に変更したものである。係止具２６の構成は、車台枠１７ａに設けた点以外は、前述の実施形態と同等の構成である為、詳細な説明は省略する。また、被係止部２７はガイドレール２５上面に立設され係止具２６が係止される被係止ピン４７である。
【００４７】
尚、本発明は上述した実施形態に限定されることなく、本発明の趣旨を逸脱しない範囲において種々の構成を採ることができることはいうまでもない。例えば、係止具と被係止部の構成は上述した実施形態以外のその他の構成としてもよく、要は搬送車側の平坦面を浴槽本体の開口部の周縁面方向に対して強く押し当てる必要のない浴槽本体内方の位置まで搬送車の一部分を進入させたときに、搬送車と浴槽本体とが一時係止できる構成であれば如何なる構成を採ってもよいものである。
【００４８】
また、上述した実施形態では、係止具を左右のガイドレール上面にそれぞれ配設した構成例を説明したが、いずれか一方のガイドレール上面に設けても勿論よい。また、前述の実施形態では或入浴者の入浴に供した湯水は一度排水し、別の入浴者の入浴時には貯湯槽へ新たに貯湯した湯水を浴槽部へ移送供給する新湯入浴方式を前提としているが、この方式に替わり或入浴者の入浴に供した湯水を排水せず一旦浴槽部から貯湯タンク内へ戻し移送させ、別の入浴者の入浴時に再度浴槽部へ移送させて利用する循環入浴方式としても本発明の趣旨から逸脱しないものである。
【００４９】
また、搬送車の移乗搬送姿勢の形態も上述の実施形態において例示説明した座椅子形態に限定されるものではなく、例えば、図示は省略するが、座面部を上体支持部に対して回動可能に連結するとともに車台に対する上体支持部の倒伏角度を更に増角させて、座面部と上体支持部とが略水平状になるように形態変更し、起立姿勢をとることが困難な入浴者を仰臥姿勢のまま搬送車に移乗させて浴槽本体付近まで搬送できるように搬送車を構成してもよい。  
【００５０】
また、上述の実施形態においては、搬送車３の上体支持部１９の左右側から下側にかけて連続形成した平坦面１９ｂと開口部４の周縁面４ａとを圧接固定し、開口部４を上体支持部１９で水密に閉塞する構成例を説明したが、本発明はこの構成例に限定されるものではない。例えば、図示は省略するが、搬送車の上体支持部の左右側方から後方周囲にわたって容器形状の部材を設けるとともに、この容器形状部材の一部に浴槽本体の開口部の周縁面に対面可能となる平坦面を形成し、容器形状部材の平坦面と周縁面とを圧接固定することにより容器形状部材で開口部を水密に閉塞できるように構成してもよいものである（搬送車の有する上体支持部以外の部材で開口部を水密に閉塞してもよい）。
【産業上の利用可能性】
【００５１】
本発明は、身体障害者や高齢者等の自力では入浴できない入浴者を搬送車に着座させた状態で浴槽内へ移送して入浴に供する入浴装置への利用が期待できる。
【図面の簡単な説明】
【００５２】
【図１】本発明の一実施形態に係る浴槽本体を開口部側から見た外観斜視図である。
【図２】本発明の一実施形態に係る浴槽本体の正面図である。
【図３】本発明の一実施形態に係る一時係止手段の作用状態を示す入浴装置の側面断面図である。
【図４】図２におけるＡ−Ａ矢視線断面図である。
【図５】図２におけるＢ−Ｂ矢視線断面図である。
【図６】ロック手段の構成を説明する部分拡大断面図である。
【図７】一時係止手段の作用を説明する部分拡大断面図である。
【図８】本発明の他の実施形態に係る一時係止手段の構成を説明する部分拡大断面図である。
【符号の説明】
【００５３】
１    入浴装置
２    浴槽本体
３    搬送車
４    開口部
４ａ  周縁面
１１    浴槽部
１７    車台
１７ａ  車台枠
１７ｂ  円柱状突起部
１９    上体支持部
１９ｂ  平坦面
２６    係止具
２７    被係止部
２８    一時係止手段
２９    可動板
２９ａ  凸部
３０    可動軸
３１    捻りバネ
３２    リミットスイッチ
３３    ロック手段
４４    防護カバー
４５    接近阻止部材
【図１】
0005158539.tif 000002
【図２】
0005158539.tif 000003
【図３】
0005158539.tif 000004
【図４】
0005158539.tif 000005
【図５】
0005158539.tif 000006
【図６】
0005158539.tif 000007
【図７】
0005158539.tif 000008
【図８】
0005158539.tif 000009